(57)【要約】【課題】  誤操作をおこしそうなリモコンからの演奏中止指示を無効とするカラオケ装置を提供する。【解決手段】機器ＩＤにより識別可能であり、利用者の操作に応じて演奏中止コマンドを含む各種コマンドを発行し、自身の機器ＩＤを付帯してカラオケ装置に向けて発信可能な複数の操作入力器と、各操作入力器からの演奏中止コマンドについて、複数の中止動作制御モードのうちのいずれかを対応付けして記憶した中止コマンド取扱表を備え、利用者入力に基づいて、中止コマンド取扱表の各操作入力器に対応付けして中止動作制御モードを選択設定し、演奏中止コマンド信号と機器ＩＤとが入力されると、中止コマンド取扱表を参照し、当該機器ＩＤに対応する中止動作制御モードを読み出して、そのモードに基づいてカラオケ演奏の中止処理を制御するカラオケ装置とする。【選択図】  図３
2005292221.tif 000002
【特許請求の範囲】
【請求項１】
複数の操作入力器と、中止コマンド取扱表と、制御手段とを備えたカラオケ装置であって、
各操作入力器は、機器ＩＤにより識別可能であり、利用者の操作に応じて演奏中止コマンドを含む各種コマンドを発行し、自身の機器ＩＤを付帯してカラオケ装置に向けて発信可能であり、
中止コマンド取扱表は、各操作入力器からの演奏中止コマンドについて、複数の中止動作制御モードのうちのいずれかを対応付けして記憶し、
制御手段は、表作成処理と、条件付き中止コマンド応答処理とを可能とし、
表作成処理は、利用者入力に基づいて、中止コマンド取扱表の各操作入力器に対応付けして中止動作制御モードを選択設定し、
条件付き中止コマンド応答処理は、演奏中止コマンド信号と機器ＩＤとが入力されると、中止コマンド取扱表を参照し、当該機器ＩＤに対応する中止動作制御モードを読み出して、そのモードに基づいてカラオケ演奏の中止処理を制御する
カラオケ装置。
【請求項２】
制御手段は、条件付き中止コマンド応答処理と無条件中止コマンド応答処理とを選択的に実行可能であり、
無条件中止コマンド応答処理は、演奏中止コマンドが入力されたときにカラオケ演奏を中止させる
請求項１に記載のカラオケ装置。
【発明の詳細な説明】
【技術分野】
【０００１】
この発明は、演奏中止制御に特徴を有するカラオケ装置に関し、特に演奏中止指示を発信した操作入力器によって指示の有効／無効を決定する技術に関する。
【背景技術】
【０００２】
カラオケ装置には、カラオケ楽曲の演奏時に、その演奏動作自体の他に、特定の動作を実行できるものがある。例えば、歌唱者によるカラオケ歌唱を伴奏音楽とともにＣＤ−Ｒなどの可搬型記録媒体に録音する動作がある。特開２００２−２８７７７７号、特開２００２−１８２６６５号、特開２００２−１８２６６８号、特開２００２−１８２６６７号各公報などには、歌唱に失敗したとしてもＣＤ−Ｒには最良の歌唱状態を録音できるカラオケ録音装置が開示されている。この録音装置は、伴奏音楽と歌唱音声とを楽曲単位で所定のデータ形式の録音ファイルに作成し、そのファイルをハードディスク装置になどに一時記憶させる。そして、最もうまく歌えたときの録音ファイルをＣＤ−Ｒに転記するように構成されている。
【０００３】
また、録音ファイルをＣＤ−Ｒなどに記録する代わりにカラオケ事業者が管理する所定のコンピュータに送信してカラオケ事業者に受託する特定動作もある。この特定動作によれば、例えば、特開２００３−１５６７３号公報に記載されているカラオケ通信教習方法のように、利用者は、カラオケ事業者に寄託した録音ファイルを専門の審査員に転送して添削してもらう検定サービスを受けられる。
【０００４】
その他にも、付加機能として、外付けのＭＩＤＩ楽器や特開平１１−８５１７４号公報に開示されているような模擬楽器や、特開２００２−１６９５７６号公報に開示されているようなスキャットなどで演奏に参加する合奏機能、バックコーラスやデュエットで歌唱に参加する合唱機能など、楽器を持ち込んだり複数人で歌唱したりするものがある。
【特許文献１】特開２００２−２８７７７７号公報
【特許文献２】特開２００２−１８２６６５号公報
【特許文献３】特開２００２−１８２６６８号公報
【特許文献４】特開２００２−１８２６６７号公報
【特許文献５】特開平１１−８５１７４号公報
【特許文献６】特開２００２−１６９５７６号公報
【発明の開示】
【発明が解決しようとする課題】
【０００５】
カラオケで歌唱することだけを楽しもうとする利用者の多くは、たとえ楽曲の歌い出しタイミングを逸したり音程を大きくはずして歌い出したりしてしまっても、そのまま伴奏音楽の途中から体勢を立て直して歌い出してしまう。最初から歌い直したりするのは手間も時間もかかり面倒なので、歌い直すことに時間を費やすより、別の曲を歌ったりもう一度同じ曲を予約して歌ったりした方が効率がよいと考える人が多い。と同時に、他の同伴者が楽しむ機会をつぶしてしまうことも避けられる。
【０００６】
一方、録音や検定サービス、歌唱採点のような特定動作による付加機能を利用しようとする利用者は少しでも上手く歌って音楽としての完成度を上げたいと考えるので、途中で上手くいかなかった場合には最初から歌い直そうとする。また、付加機能として合奏機能を利用する場合には、楽器などの器材の準備が必要であったり、合唱機能を利用する場合には歌唱者本人以外にも参加者の準備が必要だったりするので、準備不足のまま演奏開始されてしまうと、体勢を立て直すのは難しく、最初から演奏し直そうとする。そのため、特定動作が指定され付加機能が利用される場合には、途中で利用者本人により演奏中止が指示されることが多い。
【０００７】
ところが、演奏中に他の人が次のリクエスト曲を選曲したりしてリモコンを操作しているうちに、誤って演奏中止ボタンを押してしまったりすることも起こりうる。特に付加機能利用中の利用者本人が意図しないところで演奏中止されてしまうと、折角うまくいっていた歌唱や演奏が無駄になってしまう。
【０００８】
そこで本発明者は、誤操作されそうな操作入力器からの演奏中止指示を無効とすることができると便利だと考え、本発明を創作した。
【課題を解決するための手段】
【０００９】
上記目的を達成するために、この発明は、次の事項（１）〜（６）により特定されるものとする。  
（１）複数の操作入力器と、中止コマンド取扱表と、制御手段とを備えたカラオケ装置であること、
（２）各操作入力器は、機器ＩＤにより識別可能であり、利用者の操作に応じて演奏中止コマンドを含む各種コマンドを発行し、自身の機器ＩＤを付帯してカラオケ装置に向けて発信可能であること、
（３）中止コマンド取扱表は、各操作入力器からの演奏中止コマンドについて、複数の中止動作制御モードのうちのいずれかを対応付けして記憶すること、
（４）制御手段は、表作成処理と、条件付き中止コマンド応答処理とを可能とすること、
（５）表作成処理は、利用者入力に基づいて、中止コマンド取扱表の各操作入力器に対応付けして中止動作制御モードを選択設定すること、
（６）条件付き中止コマンド応答処理は、演奏中止コマンド信号と機器ＩＤとが入力されると、中止コマンド取扱表を参照し、当該機器ＩＤに対応する中止動作制御モードを読み出して、そのモードに基づいてカラオケ演奏の中止処理を制御すること、
【００１０】
この発明において、望ましくは、制御手段は、条件付き中止コマンド応答処理と無条件中止コマンド応答処理とを選択的に実行可能であり、無条件中止コマンド応答処理は、演奏中止コマンドが入力されたときにカラオケ演奏を中止させることとする。
【発明の効果】
【００１１】
本発明のカラオケ装置によれば、誤操作を起こしそうなリモコンからの演奏中止指示を無効にすることができる。したがって、とくに歌唱録音機能などの付加機能の利用者が、他の利用者の誤操作による演奏中止指示で邪魔されることがなくなる。また他の利用者にとっても、自身の誤操作によって無駄な時間を作ってしまって周囲に迷惑をかける心配がなくなる。そのため、参加者全員が気持ちよくカラオケを利用することができ、その結果、カラオケが利用される機会が増大する効果を期待できる。
【発明を実施するための最良の形態】
【００１２】
＝＝＝カラオケ装置を含むネットワーク構成＝＝＝
図１は、本発明の実施例におけるカラオケ装置を含むネットワーク構成を示している。インターネットを利用したＶＰＮ（Virtual Private Network）７０にカラオケ事業者の各地のカラオケ店舗１００に敷設されたＬＡＮ１１０やホスト装置９０が接続されて広域イントラネットが構築されている。各地のカラオケ店舗１００の各客室１２０にはカラオケ装置（カラオケ本体装置１０およびそれに付帯する機器）が設置され、カラオケ本体装置１０はＶＰＮ７０を介してホスト装置９０と通信する。
【００１３】
カラオケ本体装置１０には、操作入力器として、操作パネル１４や複数のリモコン送信器３０が付帯している。リモコン送信器３０は赤外線信号によりカラオケ本体装置１０の受光部１５に演奏予約コマンドをはじめとする各種コマンドを送信する。この際に各操作入力器は、あらかじめ登録されている自身の機器ＩＤをコマンドに含めて送信することが可能である。また、カラオケ本体装置１０は、自身の配下にある操作入力器の機器ＩＤを管理している。  
以下、本実施例においてはこのカラオケ本体装置１０をカラオケ装置１０と称するものとする。
【００１４】
なお、リモコン送信器３０とカラオケ装置１０の間は、ＩＥＥＥ８０１．１１ｘ（ｘはａ，ｂ，ｇなど）規格の無線ＬＡＮなどの双方向通信としてもよい。もちろん、無線ＬＡＮであれば演奏予約コマンドをＬＡＮ経由で操作対象となるカラオケ装置１０に送信することもできる。
【００１５】
とくに本実施例において、リモコン送信器３０の一つには、電子目次本と呼ばれる楽曲検索機能を備えた多機能リモコン装置３１も含まれる。多機能リモコン装置３１は、内蔵２次電池により動作し、その２次電池を充電するための充電架台を付帯している。この架台はＲＳ２３２Ｃなどの所定規格の通信インタフェースを備え、カラオケ本体装置１０が装備する同規格の通信インタフェースと相互に接続されている。そして、多機能リモコン装置３１がこの充電架台に装着されると、多機能リモコン装置３１とカラオケ本体装置１０とがこの充電架台を介して通信するように構成されている。
【００１６】
＝＝＝カラオケ装置の基本的な構成と動作＝＝＝
図２は本実施例のカラオケ装置の機能ブロック構成である。カラオケ装置１０は、周知の通信カラオケシステムの演奏端末とほぼ同様のハードウエア構成である。中央制御部１１はＣＰＵ・ＲＡＭ・ＲＯＭを含むコンピュータ本体であり、各周辺構成部を制御してカラオケ装置１０を統括する。ハードディスク装置１２には多数のカラオケ楽曲について、ＭＩＤＩデータを主体とした伴奏音楽データと、歌詞画像の生成起源となる歌詞描出データとを含むカラオケデータが蓄積されている。また、所定形式の長時間分の動画データと、動画データの処理シーケンス（処理すべき動画データの格納場所と処理順番など）を規定した台本データや、演奏可能なカラオケ楽曲について、曲名やアーティスト名、発表年、歌詞の歌い出し部分などの目次情報も格納されている。そして、中央制御部１１は、各楽曲のカラオケデータ、台本データ、および目次情報を楽曲番号によって識別し、これをカラオケデータベースとして管理している。
【００１７】
中央制御部１１は、ネットワークインタフェース２３を介してホスト装置９０と通信する。ホスト装置９０は、カラオケ装置１０に向けて新譜楽曲についてのカラオケデータ、台本データ、目次情報などを適時に配信したり、カラオケ装置１０にて随時収集される稼働ログなどを集信したりする。中央制御部１１は、ホスト装置９０から送付されたカラオケデータを受け取ってカラオケデータベースの内容を更新したり、カラオケ装置１０側にて収集される稼働ログなどの各種情報をホスト装置に送信したりする。
【００１８】
カラオケ装置１０の操作制御部１３は、利用者入力により操作入力器を介して演奏予約コマンドのコードおよび当該操作入力器の機器ＩＤを受け取ると、それらを中央制御部１１に転送する。中央制御部１１は、そのコマンド中の楽曲番号を内部のＲＡＭに格納して演奏処理の待ち行列で管理する。そして、待ち行列から楽曲番号を順次取り出し、該当のカラオケデータをハードディスク装置１２より読み出し、このカラオケデータ中の伴奏音楽データをシンセサイザ１９に転送して伴奏音楽を生成させる。
【００１９】
一方、歌詞描出データについては、伴奏音楽に同期して歌唱すべき箇所が色変わりする歌詞画像をビデオＲＡＭ１６に順次ビットマップ展開していく。また、台本データに基づいて所定の動画データを所定の順番で映像制御部１７に順次転送して歌詞画像の背景動画を復号させる。
【００２０】
ミキシングアンプ２０は伴奏音楽と、マイクロホン２２に入力された歌声音声とを混合・増幅してスピーカ２１より音響出力する。映像制御部１７は、復号した動画映像に歌詞画像をスーパーインポーズ処理してディスプレイ１８に表示出力する。
【００２１】
＝＝＝多機能リモコン装置３１＝＝＝
多機能リモコン装置３１は、液晶ディスプレイ（ＬＣＤ）とタッチセンサとを積層したタッチパネルを主体としたユーザインタフェースを備え、内蔵するフラッシュメモリにはカラオケ装置１０に蓄積されているものと同様の目次情報や、タッチパネルに表示される各種画像情報などが蓄積されている。リモコン制御部がＣＰＵ、ＲＡＭ、ＲＯＭ、ビデオＲＡＭなどを含み、タッチパネルへの入力情報に基づいて各種画像情報や文字情報をビデオＲＡＭにビットマップ展開し、そのビットマップデータに基づいてＬＣＤドライバを駆動してタッチパネルに適宜な情報を表示する。また、フラッシュメモリに蓄積されている目次情報を楽曲索引データベースとして管理している。
【００２２】
また、タッチパネルには、歌唱採点機能や歌唱録音機能、検定サービスなど、カラオケ演奏とともに利用できる付加機能の起動を指示するためのボタンが適宜に配設されている。
【００２３】
リモコン制御部は、タッチパネルを介した利用者との対話を通じて目次情報の断片をクエリーとして受け付け、該当するカラオケ楽曲の目次情報を楽曲索引データベースより取り出して提示する。そして、多機能リモコン装置３１において、最終的にカラオケ楽曲が１曲に特定され、その楽曲を演奏予約する旨の利用者入力がなされると、リモコン制御部が楽曲番号を含む演奏予約コマンドのコードを生成し、ＬＥＤを介してこのコードを含む赤外線信号を送出する。
【００２４】
＝＝＝歌唱録音機能＝＝＝
このカラオケケ装置１０は、特定動作による付加機能として、伴奏音楽とそれに合わせて歌う歌唱者の歌声とを楽曲単位の録音作品として録音するための歌唱録音機能を備えている。
【００２５】
音声信号処理部２６は、シンセサイザ１９からのリクエスト曲の伴奏音楽とマイクロホン２２に入力された歌唱音声との混合音響信号をサンプリングしてデジタル音声データにＡ／Ｄ変換する。そして、中央制御部１１から演奏開始のタイミング情報を受け取ると、デジタル音声データを中央制御部１１に転送していく。中央制御部１１は、内部のＲＡＭなどにそのデジタル音声データを格納していき、演奏が終了すると、音声データをＷＡＶＥファイルなど適宜な形式のデータファイルに作成し、このファイルを歌唱録音作品としてリクエスト曲の楽曲ＩＤに対応付けして内蔵のハードディスク装置１２に一時的に保存する。
【００２６】
このようにして作成された歌唱録音作品を、ＣＤ−Ｒなどの記憶媒体に転記したり、カラオケ事業者が運営するコンピュータに転送したりして適宜に利用する。たとえば、特開２００３−１５６７３号公報に詳しく開示されているように、歌唱録音作品をカラオケ事業者の運用する教習仲介サーバーに送信して預託しておいて、専門家の添削指導を受けられる検定サービスに利用することも可能である。
【００２７】
＝＝＝中止コマンド取扱表と表作成処理＝＝＝
図３に本実施例に係る中止コマンド取扱表の論理構成を例示している。この中止コマンド取扱表は、カラオケ装置１０が管理する論理テーブルである。当該カラオケ装置１０の配下にある各操作入力器から演奏中止コマンドが入力されたときに、有効なものと取り扱うか無効なものと取り扱うかについての設定内容（中止動作制御モード）を各機器ＩＤと対応付けして記載したテーブルである。
【００２８】
この実施例においては、リクエスト曲が特定動作として歌唱録音機能の起動指示を付帯しているか付帯していないかによって、各操作入力器からの演奏中止コマンドの有効／無効の範囲をそれぞれに設定することができる。
【００２９】
たとえば、歌唱録音機能の起動指示を伴ったリクエスト曲の演奏中には、歌唱録音に関する操作は多機能リモコン装置３１を使って行うので、多機能リモコン装置３１からの演奏中止コマンドは有効なものと取り扱う。またカラオケ装置１０本体の操作パネル１４についても、本人や店のオーナーが最も近くにいることが多いので、操作パネル１４からの演奏中止コマンドも有効なものと取り扱う。しかしそれ以外のリモコン送信器３０からの演奏中止コマンドは無効なものとして取り扱う。
【００３０】
一方、付加機能の起動指示が付帯せずに歌唱するのみのリクエスト曲については、多機能リモコン装置は歌唱者以外の人が楽曲検索などで使う場合が多く、多機能リモコン装置３１からの演奏中止コマンドは誤操作が多いので無効なものと取り扱うが、それ以外のリモコン送信器３０からの演奏中止コマンドは有効なものとして取り扱う。
【００３１】
その他の特定動作として、歌唱採点機能や検定サービス機能などの付加機能の起動指示をともなっている場合にも、同様に、操作入力器ごとに、リクエスト曲が各機能の起動指示を付帯しているか付帯していないかによって、当該リクエスト曲演奏中に受け取った演奏中止コマンドの取り扱い方を設定することも可能である。
【００３２】
中止コマンド取扱表は、表作成処理を起動することにより、所定のユーザインタフェースを介して作成可能である。たとえば、カラオケ店舗の店員のみが起動可能なオーナーモードにて、表作成処理を起動可能に構成し、適宜なユーザインタフェースによって店員が各設定内容を指定入力できるように構成する。利用者がグループでカラオケ利用開始時などに指定入力できるように構成することも可能である。  
表作成処理によって作成された中止コマンド取扱表は、ハードディスク装置１２などの適宜な記憶部に格納される。
【００３３】
＝＝＝条件付き中止コマンド応答処理＝＝＝
本実施例は、リクエスト曲の演奏中にカラオケ装置１０が演奏中止コマンドを受信すると、中止コマンド取扱表に基づいて演奏中止動作を制御するものである。その動作は上記のとおり、リクエスト曲に特定動作の起動指示が付帯しているか付帯していないかによっても異なるものとし得る。
【００３４】
歌唱録音作品を作成したい利用者は、その曲をリクエストする際に、特定動作として、歌唱録音機能の起動指示を、操作入力器を介してカラオケ装置に１０に入力する。たとえば、歌唱録音機能の起動指示を受け付けるボタンを多機能リモコン装置３１などに配設しておけばよい。カラオケ装置１０の中央制御部１１は、歌唱録音機能の起動指示をともなったリクエスト曲を受け付けると、そのリクエスト曲の楽曲番号と録音指示フラグとを対応付けして待ち行列に登録する。
【００３５】
中央制御部１１は、演奏予約の待ち行列に登録された順にリクエスト曲を取り出して演奏準備を行う。この際には、中止コマンド取扱表を参照し、当該リクエスト曲についての中止動作制御モードを読み出しておく。たとえば図３の例によれば、取り出した楽曲の楽曲番号に録音指示フラグが付帯している場合には、歌唱録音機能起動時（特定動作）における中止動作制御モードを読み出す。すなわち、多機能リモコン装置３１およびカラオケ装置１０の本体の装置パネル１４からの演奏中止コマンドを有効に、それ以外のリモコン送信器３０からの演奏中止コマンドは無効に取り扱うというものである。また、リクエスト曲に録音指示フラグが付帯していない場合には、歌唱時における中止動作制御モードを読み出す。つまり、多機能リモコン装置３１からの演奏中止コマンドは無効に、それ以外のリモコン送信器３０と操作パネル１４からの演奏中止コマンドは無効に取り扱うことを示している。
【００３６】
当該リクエスト曲の演奏中に、カラオケ装置１０が機器ＩＤを含んだ演奏中止コマンドを受信すると、当該機器ＩＤに対応する中止動作制御モードにしたがって、中止動作制御モードが「有効」モードであった場合には、演奏中止処理を行う。また「無効」モードであった場合には、演奏中止コマンドを無視して演奏を継続する。  
機器ＩＤが不明な場合には、誤操作による可能性が高いので、無効なものとして取り扱って演奏を継続するとよい。
【００３７】
＝＝＝他の実施例＝＝＝
上記実施例は、カラオケ利用時のすべての演奏中止コマンドについて、中止コマンド取扱表に基づいて制御する「条件付き中止コマンド応答処理」によって取り扱う例を示している。
【００３８】
一方、そのような「条件付き中止コマンド応答処理」と、いかなる場面で演奏中止コマンドを受け取っても有効な指示として取り扱う「無条件中止コマンド応答処理」とを、カラオケ装置１０の中央制御部１１にて切り替え可能に構成することも可能である。たとえば、通常は無条件中止コマンド応答処理により制御するが、待ち行列に登録された楽曲数が所定数を超えて演奏すべき楽曲数が増えると、無意味な誤操作による演奏中止コマンドを避けて効率よく演奏するために「条件付き中止コマンド応答処理」に切り替えるように構成することが可能である。
【００３９】
あるいは、演奏開始直後の１分は、歌唱者本人が意図して演奏中止を指示することも多いので「無条件中止コマンド応答処理」により制御するが、それ以降は本人による演奏中止は減少し、逆に誤操作が増える傾向にあるため「条件付き中止コマンド応答処理」に切り替えるように構成してもよい。
【００４０】
以上に説明したカラオケ装置によれば、歌唱者以外の誤操作によると推察される演奏中止コマンドを受信しても無効にすることができる。
【図面の簡単な説明】
【００４１】
【図１】本発明の実施例におけるカラオケ装置を含むネットワーク構成図である。
【図２】上記カラオケ装置の機能ブロック図である。
【図３】中止コマンド取扱表の論理構成を例示した図である。
【符号の説明】
【００４２】
１０  カラオケ装置
１１  中央制御部
１２  ハードディスク装置
１４  操作パネル
３０  リモコン送信器
３１  多機能リモコン装置
【図１】
2005292221.tif 000003
【図２】
2005292221.tif 000004
【図３】
2005292221.tif 000005